(57)【要約】【課題】昇降機の稼働開始から当該部品の取替周期算時点までの当該部品の取替履歴を把握していなくても当該部品の取替周期を適切に算出することができるエレベータ用部品の取替周期算出装置を提供する。【解決手段】昇降機の部品の取替周期算出装置は、取替周期の算出対象となる部品が利用された昇降機の契約の推移を契約履歴から抽出する契約推移抽出部と、前記契約推移抽出部により契約の推移を抽出された昇降機について未契約期間を除外して当該部品の取替周期を算出する取替周期算出部と、を備えた。【選択図】図１
2016031578.tif 000002
【特許請求の範囲】
【請求項１】
取替周期の算出対象となる部品が利用された昇降機の契約の推移を契約履歴から抽出する契約推移抽出部と、
前記契約推移抽出部により契約の推移を抽出された昇降機について未契約期間を除外して当該部品の取替周期を算出する取替周期算出部と、
を備えた昇降機の部品の取替周期算出装置。
【請求項２】
前記契約推移抽出部により契約の推移を抽出された昇降機について、保守契約期間中の当該部品の取替時期を取替履歴から抽出する取替履歴抽出部、
を備え、
前記取替周期算出部は、前記取替履歴抽出部により抽出された取替時期に基づいて当該部品の取替周期を算出する請求項１に記載の昇降機の部品の取替周期算出装置。
【請求項３】
前記取替周期算出部は、前記取替履歴抽出部が保守契約期間中において当該部品に関して３件以上の取替時期を抽出した場合は、直近の２件の取替時期の間の期間を当該部品の取替周期として算出する請求項２に記載の昇降機の部品の取替周期算出装置。
【請求項４】
前記取替周期算出部は、前記取替履歴抽出部が保守契約期間中において当該部品に関して２件の取替時期を抽出した場合は、当該２件の取替時期の間の期間を当該部品の取替周期として算出する請求項２または請求項３に記載の昇降機の部品の取替周期算出装置。
【請求項５】
前記取替周期算出部は、前記取替履歴抽出部が現保守契約期間中において当該部品に関して１件の取替時期を抽出した場合は、当該１件の取替時期と現時点との間の期間を当該部品の取替周期として算出する請求項２から請求項４のいずれか一項に記載の昇降機の部品の取替周期算出装置。
【請求項６】
前記取替周期算出部は、前記契約推移抽出部が現保守契約期間の前に保守契約期間を抽出せず、前記取替履歴抽出部が現保守契約期間中において当該部品に関して取替時期を抽出しない場合は、当該部品の取替周期を算出しない請求項２から請求項５のいずれか一項に記載の昇降機の部品の取替周期算出装置。
【請求項７】
前記取替周期算出部は、前記契約推移抽出部が現保守契約期間の前に未契約期間を抽出して当該未契約期間の前に前記昇降機の稼働開始時点からの保守契約期間を抽出し、前記取替履歴抽出部が現保守契約期間中において当該部品に関して取替時期を抽出せずに未契約期間の前の保守契約期間において当該部品に関して取替時期を抽出しない場合は、未契約期間の前の保守契約期間を当該部品の取替周期として算出する請求項２から請求項６のいずれか一項に記載の昇降機の部品の取替周期算出装置。
【請求項８】
前記取替周期算出部は、前記契約推移抽出部が現保守契約期間の前に未契約期間を抽出して当該未契約期間の前に前記昇降機の稼働開始時点からの保守契約期間を抽出し、前記取替履歴抽出部が現保守契約期間中において当該部品に関して取替時期を抽出せずに前記昇降機の稼働開始時点からの保守契約期間において当該部品に関して１件の取替時期を抽出した場合は、前記昇降機の稼働開始時点と当該１件の取替時期との間の期間を当該部品の取替周期として算出する請求項２から請求項７のいずれか一項に記載の昇降機の部品の取替周期算出装置。
【発明の詳細な説明】
【技術分野】
【０００１】
この発明は、昇降機の部品の取替周期算出装置に関する。
【背景技術】
【０００２】
例えば、特許文献１には、部品の取替周期算出装置が記載されている。基本的な取替周期算出装置は、部品を利用した装置の稼働開始時点から当該部品の取替周期算時点までの取替履歴が判明していることを前提として当該部品の取替周期を算出する。
【先行技術文献】
【特許文献】
【０００３】
【特許文献１】特開２００９−２６６０２９号公報
【発明の概要】
【発明が解決しようとする課題】
【０００４】
しかしながら、エレベータ等の昇降機においては、保守会社が管理者の意向によって変更されることもある。この場合、変更後の保守会社は、昇降機の稼働開始時点から一定期間における当該部品の取替履歴を把握していない。このため、基本的な取替周期算出装置が利用された場合、部品の取替周期が誤って算出され得る。
【０００５】
この発明は、上述の課題を解決するためになされた。この発明の目的は、昇降機の稼働開始時点から当該部品の取替周期算時点までの当該部品の取替履歴の一部を把握していなくても当該部品の取替周期を適切に算出することができる昇降機の部品の取替周期算出装置を提供することである。
【課題を解決するための手段】
【０００６】
この発明に係る昇降機の部品の取替周期算出装置は、取替周期の算出対象となる部品が利用された昇降機の契約の推移を契約履歴から抽出する契約推移抽出部と、前記契約推移抽出部により契約の推移を抽出された昇降機について未契約期間を除外して当該部品の取替周期を算出する取替周期算出部と、を備えた。
【発明の効果】
【０００７】
この発明によれば、部品の取替周期は、昇降機の未契約期間を除外して算出される。このため、昇降機の稼働開始時点から当該部品の取替周期算時点までの当該部品の取替履歴の一部を把握していなくても当該部品の取替周期を適切に算出することができる。
【図面の簡単な説明】
【０００８】
【図１】この発明の実施の形態１における昇降機の部品の取替周期算出装置のブロック図である。
【図２】この発明の実施の形態１における昇降機の部品の取替周期算出装置による契約の推移の分類を説明するための図である。
【図３】この発明の実施の形態１における昇降機の部品の取替周期算出装置を利用しないで得られた部品の取替周期を説明するための図である。
【図４】この発明の実施の形態１における昇降機の部品の取替周期算出装置による部品の取替周期の計算方法を説明するための図である。
【図５】この発明の実施の形態１における昇降機の部品の取替周期算出装置による部品の取替周期の計算方法を説明するための図である。
【図６】この発明の実施の形態１における昇降機の部品の取替周期算出装置の動作を説明するためのフローチャートである。
【図７】この発明の実施の形態１における昇降機の部品の取替周期算出装置の動作を説明するためのフローチャートである。
【発明を実施するための形態】
【０００９】
この発明を実施するための形態について添付の図面に従って説明する。なお、各図中、同一又は相当する部分には同一の符号が付される。当該部分の重複説明は適宜に簡略化ないし省略される。
【００１０】
実施の形態１．
図１はこの発明の実施の形態１における昇降機の部品の取替周期算出装置のブロック図である。
【００１１】
図１において、第１記憶装置１は、複数の昇降機の各々における契約履歴を記憶する。例えば、第１記憶装置１は、複数のエレベータの各々における契約履歴を記憶する。例えば、第１記憶装置１は、複数の乗客コンベアの各々における契約履歴を記憶する。
【００１２】
第２記憶装置２は、複数の昇降機の各々に利用されている部品の取替履歴を記憶する。例えば、第２記憶装置２は、複数のエレベータの各々に利用されている部品の取替履歴を記憶する。例えば、第２記憶装置２は、複数の乗客コンベアの各々に利用されている部品の取替履歴を記憶する。
【００１３】
例えば、表示装置３は、液晶モニタからなる。表示装置３は、外部からの指令に応じた映像を映すように設けられる。
【００１４】
取替周期算出装置４は、契約推移抽出部４ａと取替履歴抽出部４ｂと取替周期算出部４ｃと表示制御部４ｄとを備える。
【００１５】
契約推移抽出部４ａは、第１記憶装置１に接続される。契約推移抽出部４ａは、取替周期の算出対象となる部品が利用された昇降機の各々の契約の推移を第１記憶装置１の契約履歴から抽出する。例えば、契約推移抽出部４ａは、昇降機の機種Ｘの部品Ｙが指定された際に機種Ｘの各々の契約の推移を抽出する。
【００１６】
取替履歴抽出部４ｂは、第２記憶装置２に接続される。取替履歴抽出部４ｂは、契約推移抽出部４ａにより契約の推移を抽出された昇降機の各々について、保守契約期間中の当該部品の取替時期を第２記憶装置２の取替履歴から抽出する。
【００１７】
取替周期算出部４ｃは、昇降機の各々に関して取替履歴抽出部４ｂにより抽出された当該部品の取替時期の分布に基づいて当該部品の取替周期を算出する。この際、取替周期算出部４ｃは、契約推移抽出部４ａにより契約の推移を抽出された昇降機の各々について未契約期間を除外して当該部品の取替周期を算出する。取替周期算出部４ｃは、昇降機の各々における当該部品の取替周期に統計的手法を用いることにより当該部品の総合的な取替周期を算出する。
【００１８】
表示制御部４ｄは、表示装置３に接続される。表示制御部４ｄは、取替周期算出部４ｃによる算出結果を表示装置３に表示させる。例えば、表示制御部４ｄは、昇降機の各々における当該部品の取替周期を当該昇降機の記号に対応付けて表示装置３に表示させる。例えば、表示制御部４ｄは、当該部品の総合的な取替周期を当該部品の記号に対応付けて表示装置３に表示させる。
【００１９】
次に、図２を用いて、契約推移抽出部４ａによる契約の推移の分類を説明する。
図２はこの発明の実施の形態１における昇降機の部品の取替周期算出装置による契約の推移の分類を説明するための図である。
【００２０】
契約推移抽出部４ａは、現時点の保守会社ａの視点に立った際の昇降機の保守契約の有無に基づいて昇降機の稼動開始時点から部品の取替周期算出時点までの契約の推移を分類する。例えば、契約推移抽出部４ａは、昇降機の稼動開始時点から部品の取替周期算出時点までの契約の推移を第１推移から第８推移に分類する。
【００２１】
例えば、第１推移においては、昇降機の稼動開始時点である１９８７年から部品の取替周期算出時点である２０１３年までの間が保守契約期間である。
【００２２】
例えば、第２推移においては、昇降機の稼動開始時点である１９８７年から部品の取替周期算出時点である２０１３年までの間が未契約期間である。未契約期間は、保守会社ａが保守契約していない期間である。例えば、保守会社ｂが保守契約している期間も、保守会社ａに対しては未契約期間となる。
【００２３】
例えば、第３推移においては、昇降機の稼動開始時点である１９８７年から１９９８年までの間が未契約期間である。１９９８年から部品の取替周期算出時点である２０１３年までの間が保守契約期間Ａである。
【００２４】
例えば、第４推移においては、昇降機の稼動開始時点である１９８７年から１９９８年までの間が未契約期間である。１９９８年から２００５年までの間が保守契約期間Ｂである。２００５年から部品の取替周期算出時点である２０１３年までの間が未契約期間である。
【００２５】
例えば、第５推移においては、昇降機の稼動開始時点の一定期間は、未契約期間である。部品の取替周期算出時点の期間は、未契約期間である。これらの未契約期間の間においては、保守契約期間と未契約期間とが繰り返される。図２においては、昇降機の稼動開始時点である１９８７年から１９９６年までの間が未契約期間である。１９９６年から１９９８年までの間が保守契約期間Ｃである。１９９８年から２００２年までの間が未契約期間である。２００２年から２００５年までの間が保守契約期間Ｄである。２００５年から部品の取替周期算出時点である２０１３年までの間が未契約期間である。
【００２６】
例えば、第６推移においては、昇降機の稼動開始時点である１９８７年から１９９８年までの間が保守契約期間Ｅである。１９９８年から部品の取替周期算出時点である２０１３年までの間が未契約期間である。
【００２７】
例えば、第７推移においては、昇降機の稼動開始時点である１９８７年から１９９８年までの間が保守契約期間Ｆである。１９９８年から２００５年までの間が未契約期間である。２００５年から部品の取替周期算出時点である２０１３年までの間が保守契約期間Ｇである。
【００２８】
例えば、第８推移においては、昇降機の稼動開始時点の一定期間は、保守契約期間である。部品の取替周期算出時点の期間は、保守契約期間である。これらの保守契約期間の間においては、未契約期間と保守契約期間とが繰り返される。図２においては、昇降機の稼動開始時点である１９８７年から１９９６年までの間が保守契約期間Ｈである。１９９６年から１９９８年までの間が未契約期間である。１９９８年から２００２年までの間が保守契約期間Ｉである。２００２年から２００５年までの間が未契約期間である。２００５年から部品の取替周期算出時点である２０１３年までの間が保守契約期間Ｊである。
【００２９】
次に、図３を用いて、未契約期間を除外しないで算出した部品の取替周期を説明する。
図３はこの発明の実施の形態１における昇降機の部品の取替周期算出装置を利用しないで得られた部品の取替周期を説明するための図である。
【００３０】
図３は、図２の第７推移において部品の取替周期が誤って計算される例を示す。
【００３１】
例えば、第１誤りパターンでは、部品は、保守契約期間Ｆに取り替えられていない。部品は、未契約期間に保守会社ｂによって取り替えられている。部品は、保守契約期間Ｇに取り替えられていない。この場合、第２記憶装置２は、未契約期間の取替履歴を記憶していない。その結果、当該部品の取替周期は、１９８７年から２０１３年までの期間として誤って算出される。
【００３２】
例えば、第２誤りパターンでは、部品は、保守契約期間Ｆに取り替えられていない。部品は、未契約期間に保守会社ｂによって取り替えられている。部品は、保守契約期間Ｇの２００６年に取り替えられている。この場合、第２記憶装置２は、未契約期間の取替履歴を記憶していない。その結果、当該部品の取替周期は、１９８７年から２００６年までの期間として誤って算出される。
【００３３】
例えば、第３誤りパターンでは、部品は、保守契約期間Ｆの１９９２年に取り替えられている。部品は、未契約期間に保守会社ｂによって取り替えられている。部品は、保守契約期間Ｇの２００６年に取り替えられている。この場合、第２記憶装置２は、未契約期間の取替履歴を記憶していない。その結果、当該部品の取替周期は、１９９２年から２００６年までの期間として誤って算出される。
【００３４】
次に、図４を用いて、図２の第３推移から第５推移の場合における部品の取替周期の計算方法を説明する。
図４はこの発明の実施の形態１における昇降機の部品の取替周期算出装置による部品の取替周期の計算方法を説明するための図である。
【００３５】
例えば、第１パターンでは、第２記憶装置２は、部品が２００６年のみに取り替えられたとの履歴を記憶する。この場合、取替周期算出部４ｃは、２００６年から２０１３年までの期間を当該部品の取替周期として算出する。
【００３６】
例えば、第２パターンでは、第２記憶装置２は、部品が２００６年と２０１０年とに取り替えられたとの履歴を記憶する。この場合、取替周期算出部４ｃは、２００６年から２０１０年までの期間を当該部品の取替周期として算出する。
【００３７】
例えば、第３パターンでは、第２記憶装置２は、部品が２００６年と２００７年と２０１０年とに取り替えられたとの履歴を記憶する。この場合、取替周期算出部４ｃは、２００７年から２０１０年までの期間を当該部品の取替周期として算出する。
【００３８】
例えば、第４パターンでは、第２記憶装置２は、部品が取り替えられたとの履歴を記憶していない。この場合、取替周期算出部４ｃは、当該部品の取替周期を抽出しない。
【００３９】
次に、図５を用いて、図２の第６推移から第８推移の場合における部品の取替周期の計算方法を説明する。
図５はこの発明の実施の形態１における昇降機の部品の取替周期算出装置による部品の取替周期の計算方法を説明するための図である。
【００４０】
例えば、第５パターンでは、第２記憶装置２は、部品が２００６年のみに取り替えられたとの履歴を記憶する。この場合、取替周期算出部４ｃは、２００６年から２０１３年までの期間を当該部品の取替周期として算出する。
【００４１】
例えば、第６パターンでは、第２記憶装置２は、部品が２００６年と２００８年とに取り替えられたとの履歴を記憶する。この場合、取替周期算出部４ｃは、２００６年から２００８年までの期間を当該部品の取替周期として算出する。
【００４２】
例えば、第７パターンでは、第２記憶装置２は、部品が２００６年と２００８年と２０１０年とに取り替えられたとの履歴を記憶する。この場合、取替周期算出部４ｃは、２００８年から２０１０年までの期間を当該部品の取替周期として算出する。
【００４３】
例えば、第８パターンでは、第２記憶装置２は、部品が取り替えられたとの履歴を記憶していない。この場合、取替周期算出部４ｃは、１９８７年から１９９８年までの保守契約期間Ｆを当該部品の取替周期として算出する。
【００４４】
例えば、第９パターンでは、第２記憶装置２は、部品が保守契約期間Ｆの１９９２年のみに取り替えられたとの履歴を記憶する。この場合、取替周期算出部４ｃは、１９８７年から１９９２年までの期間を当該部品の取替周期として算出する。
【００４５】
次に、図６を用いて、図２の契約の第３推移から第５推移の場合における取替周期算出装置４の動作を説明する。
図６はこの発明の実施の形態１における昇降機の部品の取替周期算出装置の動作を説明するためのフローチャートである。
【００４６】
ステップＳ１では、取替履歴抽出部４ｂは、部品の取替周期算出時点に最も近い保守契約期間から走査を開始する。ステップＳ２に進み、取替履歴抽出部４ｂは、当該部品に関して３件以上の取替時期を抽出したか否かを判定する。
【００４７】
ステップＳ２で３件以上の取替時期が抽出された場合は、ステップＳ３に進む。ステップＳ３では、取替周期算出部４ｃは、当該部品の取替周期を第３パターンで算出する。その後、動作が終了する。
【００４８】
ステップＳ２で３件以上の取替時期が抽出されない場合は、ステップＳ４に進む。ステップＳ４では、取替履歴抽出部４ｂは、全保守契約期間の走査が完了したか否かを判定する。
【００４９】
ステップＳ４で全保守契約期間の走査が完了していない場合は、ステップＳ５に進む。ステップＳ５では、取替履歴抽出部４ｂは、残りの保守契約期間において部品の取替周期算出時点に最も近い保守契約期間を次の保守契約期間として走査する。その後、ステップＳ２以降の動作が繰り返される。
【００５０】
ステップＳ４で全保守契約期間の走査が完了した場合は、ステップＳ６に進む。ステップＳ６では、取替履歴抽出部４ｂは、部品の取替周期算出時点に最も近い保守契約期間から走査を開始する。ステップＳ７では、取替履歴抽出部４ｂは、当該部品に関して２件の取替時期を抽出したか否かを判定する。
【００５１】
ステップＳ７で２件の取替時期が抽出された場合は、ステップＳ８に進む。ステップＳ８では、取替周期算出部４ｃは、当該部品の取替周期を第２パターンで算出する。その後、動作が終了する。
【００５２】
ステップＳ７で２件の取替時期が抽出されない場合は、ステップＳ９に進む。ステップＳ９では、取替履歴抽出部４ｂは、全保守契約期間の走査が完了したか否かを判定する。
【００５３】
ステップＳ９で全保守契約期間の走査が完了していない場合は、ステップＳ１０に進む。ステップＳ１０では、取替履歴抽出部４ｂは、残りの保守契約期間において部品の取替周期の算出時点に最も近い保守契約期間を次の保守契約期間として走査する。その後、ステップＳ７以降の動作が繰り返される。
【００５４】
ステップＳ９で全保守契約期間の走査が完了した場合は、ステップＳ１１に進む。ステップＳ１１では、取替履歴抽出部４ｂは、部品の取替周期算出時点に最も近い保守契約期間から走査を開始する。ステップＳ１２では、取替履歴抽出部４ｂは、当該部品に関して１件の取替時期を抽出したか否かを判定する。
【００５５】
ステップＳ１２で１件の取替時期が抽出された場合は、ステップＳ１３に進む。ステップＳ１３では、取替周期算出部４ｃは、当該部品の取替周期を第１パターンで算出する。その後、動作が終了する。
【００５６】
ステップＳ１２で１件の取替時期が抽出されない場合は、ステップＳ１４に進む。ステップＳ１４では、取替履歴抽出部４ｂは、全保守契約期間の走査が完了したか否かを判定する。
【００５７】
ステップＳ１４で全保守契約期間の走査が完了していない場合は、ステップＳ１５に進む。ステップＳ１５では、取替履歴抽出部４ｂは、残りの保守契約期間において部品の取替周期の算出時点に最も近い保守契約期間を次の保守契約期間として走査する。その後、ステップＳ１２以降の動作が繰り返される。
【００５８】
ステップＳ１４で全保守契約期間の走査が完了した場合は、ステップＳ１６に進む。ステップＳ１６では、取替周期算出部４ｃは、当該部品の取替履歴が第４パターンであるとして当該部品の取替周期を算出しない。その後、動作が終了する。
【００５９】
次に、図７を用いて、図２の契約の第６推移から第８推移の場合における取替周期算出装置４の動作を説明する。
図７はこの発明の実施の形態１における昇降機の部品の取替周期算出装置の動作を説明するためのフローチャートである。
【００６０】
ステップＳ２１では、取替履歴抽出部４ｂは、部品の取替周期算出時点に最も近い保守契約期間から走査を開始する。ステップＳ２２に進み、取替履歴抽出部４ｂは、当該部品に関して３件以上の取替時期を抽出したか否かを判定する。
【００６１】
ステップＳ２２で３件以上の取替時期が抽出された場合は、ステップＳ２３に進む。ステップＳ２３では、取替周期算出部４ｃは、当該部品の取替周期を第７パターンで算出する。その後、動作が終了する。
【００６２】
ステップＳ２２で３件以上の取替時期が抽出されない場合は、ステップＳ２４に進む。ステップＳ２４では、取替履歴抽出部４ｂは、全保守契約期間の走査が完了したか否かを判定する。
【００６３】
ステップＳ２４で全保守契約期間の走査が完了していない場合は、ステップＳ２５に進む。ステップＳ２５では、取替履歴抽出部４ｂは、残りの保守契約期間において部品の取替周期算出時点に最も近い保守契約期間を次の保守契約期間として走査する。その後、ステップＳ２２以降の動作が繰り返される。
【００６４】
ステップＳ２４で全保守契約期間の走査が完了した場合は、ステップＳ２６に進む。ステップＳ２６では、取替履歴抽出部４ｂは、部品の取替周期算出時点に最も近い保守契約期間から走査を開始する。ステップＳ２７では、取替履歴抽出部４ｂは、当該部品に関して２件の取替時期を抽出したか否かを判定する。
【００６５】
ステップＳ２７で２件の取替時期が抽出された場合は、ステップＳ２８に進む。ステップＳ２８では、取替周期算出部４ｃは、当該部品の取替周期を第６パターンで算出する。その後、動作が終了する。
【００６６】
ステップＳ２７で２件の取替時期が抽出されない場合は、ステップＳ２９に進む。ステップＳ２９では、取替履歴抽出部４ｂは、全保守契約期間の走査が完了したか否かを判定する。
【００６７】
ステップＳ２９で全保守契約期間の走査が完了していない場合は、ステップＳ３０に進む。ステップＳ３０では、取替履歴抽出部４ｂは、残りの保守契約期間において部品の取替周期算出時点に最も近い保守契約期間を次の保守契約期間として走査する。その後、ステップＳ２７以降の動作が繰り返される。
【００６８】
ステップＳ２９で全保守契約期間の走査が完了した場合は、ステップＳ３１に進む。ステップＳ３１では、取替履歴抽出部４ｂは、部品の取替周期算出時点に最も近い保守契約期間から走査を開始する。ステップＳ３２では、取替履歴抽出部４ｂは、当該部品に関して１件の取替時期を抽出したか否かを判定する。
【００６９】
ステップＳ３２で１件の取替時期が抽出された場合は、ステップＳ３３に進む。ステップＳ３３では、取替周期算出部４ｃは、１件の取替時期が抽出された期間が再契約期間であるか否かを判定する。具体的には、取替周期算出部４ｃは、１件の取替時期が抽出された期間が未契約期間の後の保守契約期間であるか否かを判定する。
【００７０】
ステップＳ３３で１件の取替時期が抽出された期間が再契約期間である場合は、ステップＳ３４に進む。ステップＳ３４では、取替周期算出部４ｃは、当該部品の取替周期を第５パターンで算出する。その後、動作が終了する。
【００７１】
ステップＳ３３で１件の取替時期が抽出された期間が再契約期間でない場合は、ステップＳ３５に進む。ステップＳ３５では、取替周期算出部４ｃは、当該部品の取替周期を第９パターンで算出する。その後、動作が終了する。
【００７２】
ステップＳ３２で１件の取替時期が抽出されない場合は、ステップＳ３６に進む。ステップＳ３６では、取替履歴抽出部４ｂは、全保守契約期間の走査が完了したか否かを判定する。
【００７３】
ステップＳ３６で全保守契約期間の走査が完了していない場合は、ステップＳ３７に進む。ステップＳ３７では、取替履歴抽出部４ｂは、残りの保守契約期間において部品の取替周期算出時点に最も近い保守契約期間を次の保守契約期間として走査する。その後、ステップＳ３２以降の動作が繰り返される。
【００７４】
ステップＳ３６で全保守契約期間の走査が完了した場合は、ステップＳ３８では、取替周期算出部４ｃは、第８パターンで当該部品の取替周期を算出する。その後、動作が終了する。
【００７５】
以上で説明した実施の形態１によれば、部品の取替周期は、昇降機の未契約期間を除外して算出される。このため、昇降機の稼働開始時点から当該部品の取替周期算時点までの当該部品の取替履歴の一部を把握していなくても当該部品の取替周期を適切に算出することができる。そして適切に算出した昇降機の各々における当該部品の取替周期に対して、統計的手法を用いることにより当該部品の総合的な取替周期を算出する。この場合、妥当な周期で部品を交換することができる。その結果、部品の破損による昇降機の動作不良を減らすことができる。
【００７６】
また、部品の取替時期は、取替履歴抽出部４ｂにより正確に抽出される。このため、当該部品の取替周期を正確に算出することができる。
【００７７】
また、保守契約期間中において当該部品に関して３件以上の取替時期が抽出された場合は、当該部品の取替周期は、直近の２件の取替時期の間の期間となる。このため、昇降機の現時点の状態に即して当該部品の取替周期を算出することができる。
【００７８】
また、保守契約期間中において当該部品に関して２件の取替時期が抽出された場合は、当該部品の取替周期は、当該２件の取替時期の間の期間となる。このため、実際の取替時期に基づいて当該部品の取替周期を算出することができる。
【００７９】
また、現保守契約期間中において当該部品に関して１件の取替時期が抽出された場合は、当該部品の取替周期は、当該１件の取替時期と現時点との間となる。このため、取替時期が１件だけ抽出された場合でも当該部品の取替周期を算出することができる。
【００８０】
また、現保守契約期間の前に保守契約期間が抽出されず、現保守契約期間中において当該部品の取替時期が抽出されない場合は、当該部品の取替周期は算出されない。このため、当該部品の取替周期の算出値が実際の取替周期と大きく異なる結果となることを防止できる。
【００８１】
また、未契約期間の前に昇降機の稼働開始時点からの保守契約期間が抽出され、全保守契約期間中において当該部品の取替時期が抽出されない場合は、当該部品の取替周期は、昇降機の稼働開始時点からの保守契約期間となる。このため、実際の取替時期が抽出されなくても、当該部品の取替周期を算出することができる。
【００８２】
また、現保守契約期間中において当該部品の取替時期が抽出されずに昇降機の稼働開始時点からの保守契約期間において当該部品に関して１件の取替時期が抽出された場合は、当該部品の取替周期は、昇降機の稼働開始時点と当該１件の取替時期との間の期間となる。このため、取替時期が１件だけ抽出された場合でも当該部品の取替周期を算出することができる。
【００８３】
なお、昇降機以外の機器に取替周期算出装置４を適用してもよい。この場合も、昇降機以外の機器の稼働開始時点から当該部品の取替周期算時点までの当該部品の取替履歴の一部を把握していなくても当該部品の取替周期を適切に算出することができる。
【符号の説明】
【００８４】
１  第１記憶装置、  ２  第２記憶装置、  ３  表示装置、  ４  取替周期算出装置、  ４ａ  契約推移抽出部、  ４ｂ  取替履歴抽出部、  ４ｃ  取替周期算出部、  ４ｄ  表示制御部
【図１】
2016031578.tif 000003
【図２】
2016031578.tif 000004
【図３】
2016031578.tif 000005
【図４】
2016031578.tif 000006
【図５】
2016031578.tif 000007
【図６】
2016031578.tif 000008
【図７】
2016031578.tif 000009